(57)【要約】【課題】生体情報に含まれる指標の特異性を簡易かつ確実に見出すことができる生体情報評価システムを提供する。【解決手段】疾病リスク評価モデル作成部１は、生体情報記憶部１１と、疾病リスク評価モデル作成部１３と、疾病リスク算出部１４とを備える。疾病リスク評価モデル作成部１３は、生体情報の複数の指標の一部または全部を特徴量として学習器である階層型時間メモリアルゴリズムに入力し、該階層型時間メモリアルゴリズムが生成した評価モデルを疾病リスク評価モデルとする。【選択図】図１
2018198016.tif 000002
【特許請求の範囲】
【請求項１】
生体情報の変化から疾病リスクを算出する生体情報評価システムであって、
複数の指標を有する前記生体情報が複数入力され、入力された複数の生体情報から、同種の生体情報が入力された際の疾病リスクを算出するための疾病リスク評価モデルを作成して保存する疾病リスク評価モデル作成部と、
前記疾病リスクの算出を行うべき生体情報が指定されたとき、該生体情報の前記複数の指標に基づいて、前記疾病リスク評価モデル作成部で保存された疾病リスク評価モデルにより該生体情報の疾病リスクを算出して出力する疾病リスク算出部と
を備え、
疾病リスク評価モデル作成部は、前記生体情報の前記複数の指標の一部または全部を特徴量として学習器である階層型時間メモリアルゴリズムに入力し、該階層型時間メモリアルゴリズムが生成した評価モデルを前記疾病リスク評価モデルとすることを特徴とする生体情報評価システム。
【請求項２】
請求項１記載の生体情報評価システムにおいて、
前記生体情報は、唾液のサイトカイン値であり、前記複数の指標が該唾液の複数のサイトカインマーカーであって、
疾病リスク評価モデル作成部は、複数のサイトカインマーカーを有する唾液のサイトカイン値が複数入力され、入力されたサイトカインマーカーから、癌リスクを算出するための癌リスク評価モデルを作成して保存することを特徴とする生体情報評価システム。
【請求項３】
請求項１または２記載の生体情報評価システムにおいて、
前記疾病リスク評価モデル作成部は、前記生体情報の前記複数の指標の一部または全部を特徴量として前記階層型時間メモリアルゴリズム以外の学習器にも入力し、該階層型時間メモリアルゴリズムとその他の該学習器とがそれぞれ作成した一次評価モデルを統合することにより、前記疾病リスク評価モデルを作成することを特徴とする生体情報評価システム。
【発明の詳細な説明】
【技術分野】
【０００１】
本発明は、生体情報の変化から疾病リスクを算出する生体情報評価システムに関する。
【背景技術】
【０００２】
従来、この種の生体情報評価システムとしては、下記特許文献１に示すように、患者から得られた胃腸サンプル中で、選択された１つ又は複数の遺伝子マーカーのＲＮＡ転写物又はそれらの発現産物の発現レベルを決定することで、細胞増殖の徴候を判断する装置が知られている。
【先行技術文献】
【特許文献】
【０００３】
【特許文献１】特開２０１５−１６５８１１号公報
【発明の概要】
【発明が解決しようとする課題】
【０００４】
ここで、従来の生体情報評価システムでは、特定の遺伝子マーカーから発現レベルを決定するものであるが、そもそも膨大な遺伝子情報などの生体情報から、その生体情報に含まれるどのような指標に着目すべきであるかには膨大な治験が必要となっている。
【０００５】
そこで、本発明は、生体情報に含まれる指標の特異性を簡易かつ確実に見出すことができる生体情報評価システムを提供することを目的とする。
【課題を解決するための手段】
【０００６】
第１発明の生体情報評価システムは、生体情報の変化から疾病リスクを算出する生体情報評価システムであって、
複数の指標を有する前記生体情報が複数入力され、入力された複数の生体情報から、同種の生体情報が入力された際の疾病リスクを算出するための疾病リスク評価モデルを作成して保存する疾病リスク評価モデル作成部と、
前記疾病リスクの算出を行うべき生体情報が指定されたとき、該生体情報の前記複数の指標に基づいて、前記疾病リスク評価モデル作成部で保存された疾病リスク評価モデルにより該生体情報の疾病リスクを算出して出力する疾病リスク算出部と
を備え、
疾病リスク評価モデル作成部は、前記生体情報の前記複数の指標の一部または全部を特徴量として学習器である階層型時間メモリアルゴリズムに入力し、該階層型時間メモリアルゴリズムが生成した評価モデルを前記疾病リスク評価モデルとすることを特徴とする。
【０００７】
第１発明の生体情報評価システムによれば、生体情報の複数の指標の一部または全部を特徴量として学習器である階層型時間メモリアルゴリズムに入力し、該階層型時間メモリアルゴリズムが生成した評価モデルを疾病リスク評価モデルとする。ここで、階層型時間メモリアルゴリズムは、経時変化が反映されることから、膨大な生体情報からその時間変化を加味して、特定の出現パターンと出現確立とを簡易かつ確実に見出すことができる。
【０００８】
このように、第１発明の生体情報評価システムによれば、生体情報に含まれる指標の特異性を簡易かつ確実に見出すことができる。
【０００９】
なお、疾病リスクには、特定疾患の発症リスクのほか、体質（ホルモンバランス）、ストレス、性格、寿命などが含まれる。
【００１０】
第２発明の生体情報評価システムは、第１発明において、
前記生体情報は、唾液のサイトカイン値であり、前記複数の指標が該唾液の複数のサイトカインマーカーであって、
疾病リスク評価モデル作成部は、複数のサイトカインマーカーを有する唾液のサイトカイン値が複数入力され、入力されたサイトカインマーカーから、癌リスクを算出するための癌リスク評価モデルを作成して保存することを特徴とする。
【００１１】
第２発明の生体情評価システムによれば、唾液のサイトカイン値を生体情報とし、該唾液の複数のサイトカインマーカーを複数の指標とすることで、階層型時間メモリアルゴリズムに複数のサイトカインマーカーを有する唾液のサイトカイン値が複数入力され、入力されたサイトカインマーカーから、癌リスクを算出するための癌リスク評価モデルを作成することができる。
【００１２】
このように、第２発明の生体情報評価システムによれば、唾液のサイトカイン値に対して、特定のサイトカインマーカーの特異性を実際に簡易かつ確実に見出すことができる。
【００１３】
第３発明の生体情報評価システムは、第１または第２発明において、
前記疾病リスク評価モデル作成部は、前記生体情報の前記複数の指標の一部または全部を特徴量として前記階層型時間メモリアルゴリズム以外の学習器にも入力し、該階層型時間メモリアルゴリズムとその他の該学習器とがそれぞれ作成した一次評価モデルを統合することにより、前記疾病リスク評価モデルを作成することを特徴とする。
【００１４】
第３発明の生体情報評価システムによれば、生体情報の複数の指標の一部または全部を特徴量として階層型時間メモリアルゴリズム以外の学習器にも入力し、階層型時間メモリアルゴリズムとその他の該学習器とがそれぞれ作成した一次評価モデルを統合することで、各学習器の汎化能力を超える疾病リスク評価モデルを作成することができる。
【００１５】
このように、第３発明の生体情報評価システムによれば、生体情報に含まれる指標の特異性を簡易かつより確実に見出すことができる。
【図面の簡単な説明】
【００１６】
【図１】本実施形態の生体情報評価システムの概要を示すシステム構成図。
【図２】図１の生体情報評価システムの処理内容を示すフローチャート。
【図３】図１の生体情報評価システムの処理内容を示す説明図。
【図４】図１の生体情報評価システムが組み込まれる生体情報管理システムの概要を示すシステム構成図。
【図５】図４の生体情報管理システムにおける処理内容を示すフローチャート。
【図６】図４の生体情報管理システムにおける処理内容を示すフローチャート。
【図７】図４の生体情報管理システムにおける処理内容を示すフローチャート。
【図８】図４の生体情報管理システムにおける処理内容を示すフローチャート。
【発明を実施するための形態】
【００１７】
図１に示すように、本実施形態の生体情報評価システム１は、生体情報の変化から疾病リスクを算出するシステムであって、コンピュータシステムにより構成されている。
【００１８】
詳細な図示は省略するが、該コンピュータシステムは、例えば、１つのコンピュータ、又は相互に通信可能な複数のコンピュータを含むシステムである。該コンピュータシステムを構成するコンピュータには、ＣＰＵ、ＲＡＭ、ＲＯＭ、インターフェース回路等により構成される演算処理装置が搭載されている。
【００１９】
また、該コンピュータシステムは、それを構成するコンピュータの構成要素あるいは付加要素として、キーボード、マウス、タッチパネル等により構成される入力操作部、ディスプレイ、印刷機等により構成される情報出力部、有線方式もしくは無線方式の通信機器、並びに、ハードディスク等により構成される記憶装置が含まれる。
【００２０】
なお、生体情報価格評価システム１が、複数のコンピュータにより構成される場合、それらのコンピュータは、複数の離れた場所に分散配置されていてもよい。
【００２１】
また、入力操作部あるいは情報出力部は、生体情報価格評価システム１の管理者又はユーザが随時使用するパソコン、あるいは、携帯端末機（スマートフォン、タブレット端末等）を含み得る。
【００２２】
本実施形態では、生体情報価格評価システム１の評価対象とする生体情報は、例えば、唾液を採取して得られる唾液のサイトカイン値である。そして、生体情報価格評価システム１は、それを構成するコンピュータのハードウェア構成（前記演算処理装置）と該コンピュータに実装されたソフトウェアとにより実現される機能として、生体情報記憶部１１と、パーソナルデータ記憶部１２と、疾病リスク評価モデル作成部１３と、疾病リスク算出部１４とを備える。
【００２３】
生体情報記憶部１１は、生体情報を記憶保持する手段であって、例えば、個人が特定されないＩＤに紐付けされた唾液サイトカインの値の時系列データが記憶保持される。
【００２４】
パーソナルデータ記憶部１２は、生体情報に関連する被検者の情報を記憶保持する手段であって、例えば、個人が特定されないＩＤに紐付けされた性別情報、年齢情報、喫煙情報等のデータが記憶保持される。
【００２５】
疾病リスク評価モデル作成部１３は、入力された生体情報から、疾病リスクを算出するための疾病リスク評価モデルを作成する。
【００２６】
具体的には、疾病リスク評価モデル作成部１３は、生体情報の複数の指標の一部または全部を特徴量として学習器である階層型時間メモリアルゴリズムに入力し、該階層型時間メモリアルゴリズムが生成した評価モデルを疾病リスク評価モデルとする。
【００２７】
例えば、唾液のサイトカイン値を生体情報とし、該唾液の複数のサイトカインマーカーを複数の指標とすれば、階層型時間メモリアルゴリズムに複数のサイトカインマーカーを有する唾液のサイトカイン値が複数入力され、入力されたサイトカインマーカーから、癌リスクを算出するための癌リスク評価モデルを作成することができる。
【００２８】
疾病リスク算出部１４は、疾病リスクの算出を行うべき生体情報が指定されたとき、該生体情報の複数の指標に基づいて、疾病リスク評価モデル作成部１３で保存された疾病リスク評価モデルを使用して該生体情報の疾病リスクを算出して出力する。
【００２９】
次に、図２および図３を参照して、疾病リスク評価モデル作成部１３による疾病リスク評価モデルの作成処理内容について説明する。
【００３０】
図２に示すように、疾病リスク評価モデル作成部１３は、まず、生体情報を取得する（ＳＴＥＰ１１／図２）。
【００３１】
例えば、唾液のサイトカイン値を生体情報とする場合には、唾液から測定される３０種類のサイトカイン値の経時変化データを取得する。
【００３２】
次に、疾病リスク評価モデル作成部１３は、ＳＴＥＰ１１で取得した生体情報から、該生体情報が有する複数の指標から特徴となり得るその一部または全部を特定する（ＳＴＥＰ１２／図２）。
【００３３】
例えば、唾液のサイトカイン値を生体情報とする場合には、測定値として得られる３０種類のサイトカイン値のうち、図３の下側側に示すような特徴的な１８種類をサイトカインマーカーとして特定する。
【００３４】
次に、疾病リスク評価モデル作成部１３は、ＳＴＥＰ１２で特定した指標の時系列データに基づくパターンの状態遷移図を作成する（ＳＴＥＰ１３／図２）。
【００３５】
例えば、唾液サイトカイン値を生体情報とする場合には、図３の上側に示すように、第１階層（first layer）として、４つのサイトカインデータを１つのグループとし、これら４つのグループの出現パターンとその出現確率に基づく第２階層（second layer）を形成する。そして、第２階層の出現パターンとその確率に基づいて第３階層（third layer）を形成する。このような遷移パターンのみを作成する。
【００３６】
次に、疾病リスク評価モデル作成部１３は、ＳＴＥＰ１３で作成した状態遷移図に入れる生体情報の指標の組み合わせとして、遷移確率が高いもの同士がグループとなるようにグルーピングする（ＳＴＥＰ１４／図２）。
【００３７】
例えば、唾液サイトカイン値を生体情報とする場合には、１８種類のサイトカインマーカーの時系列データから遷移確率の高くなる組み合わせをグルーピングとする。
【００３８】
次に、疾病リスク評価モデル作成部１３は、ＳＴＥＰ１４で決定したグルーピングをＳＴＥＰ１３の状態遷移図に割り当てて、条件付き確率の算出を行う（ＳＴＥＰ１５／図２）。
【００３９】
例えば、唾液サイトカイン値を生体情報とする場合には、ＳＴＥＰ１４で決定したサイトカインマーカーのグルーピング（１８種類のサイトカインマーカーの時系列データから遷移確率の高くなる組み合わせ）となるように、状態遷移図の第１階層に割り当てる。そして、第１階層について、グルーピング（組み合わせ）の出現パターンと出現確率を算出する。
【００４０】
次に、疾病リスク評価モデル作成部１３は、ＳＴＥＰ１５の条件付き確率の算出処理がすべてのノードおよび階層について終了したか否かを判定する（ＳＴＥＰ１６／図２）。
【００４１】
そして、すべてのノードおよび階層について終了していない場合には（ＳＴＥＰ１６でＮＯ／図２）、すべてのノードおよび階層について終了するまで、ＳＴＥＰ１３からの一連の処理を繰り返し実行し、算出したその出現パターンと出現確率を記憶する。
【００４２】
一方、すべてのノードおよび階層について終了している場合には（ＳＴＥＰ１６でＹＥＳ／図２）、疾病リスク評価モデル作成部１３は、一連の処理を終了する。
【００４３】
以上が、疾病リスク評価モデル作成部１３による疾病リスク評価モデルの作成処理内容であり、かかる疾病リスク評価モデルは、経時変化が反映される階層型時間メモリアルゴリズムを用いることで、膨大な生体情報からその時間変化を加味して、特定の指標の出現パターンと出現確立とを簡易かつ確実に見出すことができる。すなわち、生体情報に含まれる指標の特異性を簡易かつ確実に見出すことができ、これに基づく疾病リスク評価モデルを作成することができる。
【００４４】
なお、本実施形態では、学習器として階層型時間メモリアルゴリズムを用いる場合について説明したが、これに限定されるものではなく階層型時間メモリアルゴリズム以外の学習器と組み合わせもよい。例えば、階層型時間メモリアルゴリズムとその他の学習器であるディープラーニングとがそれぞれ作成した一次評価モデルを統合することで、各学習器の汎化能力を超える疾病リスク評価モデルを作成するようにしてもよい。
【００４５】
さらに、組み合わせるその他の学習器は、ディープラーニングに加えて、ランダムフォレストやＥｌａｓｔｉｃ  ｎｅｔを組み合わせてもよい。
【００４６】
また、本実施形態では、生体情報記憶部１１に記憶された生体情報を用いて、疾病リスク評価モデルを作成する場合について説明したが、これに限定されるものではなく、これにパーソナルデータ記憶部１２に記憶された性別情報、年齢情報、喫煙情報等のデータを組み合わせて出現パターンおよび出現確率の算出を行うようにしてもよい。
【００４７】
このようにして作成された疾病リスク評価モデルは、例えば、図４に示す生体情報管理システムにおいて、癌リスク評価結果の作成（ＳＴＥＰ２３２／図７）において用いられる。
【００４８】
図４に示す生体情報管理システムは利用者の生体情報を記憶保持するシステムであって、利用者側に設けられた利用者端末１００と、利用者端末１００とネットワーク接続された管理システム本体２００と、管理システム本体２００とネットワーク接続され、利用者の生体情報を記憶保持する分散型台帳システム３００とを備える。
【００４９】
ここで、生体情報は、生体に関する種々の生理学的・解剖学的情報等の種々の情報であって、ＤＮＡ情報のように個人が特定される情報のほか、心拍数のように個人が特定されない情報の両方を含む概念である。
【００５０】
利用者端末１００は、例えば、生体情報の測定キットである唾液癌マーカー検査キットの利用者のスマートフォンやタブレット等の情報端末であって、ネットワーク通信部１１０と、ワークメモリ１１１と、プログラムメモリ１１２と、表示入力部１３と、撮影部１１４と、鍵データ格納部１１５とを有する。
【００５１】
ネットワーク通信部１１０は、インターネット等の広域通信網との接続を行う通信処理部である。
【００５２】
ワークメモリ１１１は、当該利用者端末１００における各種処理に対して一時的にデータを記憶保持する。
【００５３】
プログラムメモリ１１２は、当該利用者端末１００における各種処理においてプログラムそのものを記憶し、本実施形態では、Ｗｅｂアプリのプログラムを記憶するＷｅｂアプリ部１１２ａと、ＡＰＩ（Application Program Interface）サーバ部１１２ｂとを有する。
【００５４】
表示・入力部１１３は、表示およびタッチ入力が可能なインターフェイスとしての表示部である。
【００５５】
撮影部１１４は、ＣＣＤカメラやＣＭＯＳセンサ等から構成される撮像手段である。
【００５６】
鍵データ格納部１１５は、後述する復号鍵が記憶保持される記憶保持部である。
【００５７】
管理システム本体２００は、ネットワーク通信部２２０と、ワークメモリ２２１と、プログラムメモリ２２２と、ストレージ部２２５とを有する。
【００５８】
ネットワーク通信部２２０は、利用者端末１００との間でインターネット等の広域通信網との接続を行う通信処理部として機能するほか、分散型台帳システム３００との間でローカルネットワーク接続を行う通信処理部として機能する。
【００５９】
ワークメモリ２２１は、当該管理システム本体２００における各種処理に対して一時的にデータを記憶保持する。
【００６０】
プログラムメモリ２２２は、当該管理システム本体２００における各種処理においてプログラムそのものを記憶し、本実施形態では、Ｗｅｂサーバ部２２３と、ＡＰＩ（Application Program Interface）サーバ部２２４とを有する。  
【００６１】
Ｗｅｂサーバ部２２３は、利用者端末１００のＷｅｂアプリ部１１２ａに応じた処理を行うアプリケーションサーバであって、本実施形態では、唾液返送部２２３ａと、評価結果閲覧部２２３ｂと、分析結果入力部２２３ｃと、唾液ＩＤ生成部２２３ｄと、管理者機能部２２３ｅとを有する。
【００６２】
ＡＰＩサーバ部２２４は、唾液照合部２２４ａと、生体情報書込部２２４ｂと、評価結果取得部２２４ｃとを有する。
【００６３】
ストレージ部２２５は、本実施形態では生体情報である唾液データに関連するデータ全般を記憶保持する唾液メタデータ格納部として構成される。
【００６４】
分散型台帳システム３００は、例えば、ブロックチェーンデータベースであって、本実施形態では、同一の唾液データが記憶される２つのデータベースＤＢ１，ＤＢ２で構成され、これらはそれぞれ異なる鍵で暗号化される。
【００６５】
以上が本実施形態の生体情報管理システムの構成である。なお、以上の構成において、生体情報管理システムの利用者端末１００、管理システム本体２００および分散型台帳システム３００は、それぞれ例えば、ＣＰＵ（Central Processing Unit）、ＲＯＭ（Read Only memory）、ＲＡＭ（Random Access Memory）等のハードウェアにより構成され、各処理部１１０〜１１３，１１５、２２０〜２２５，ＤＢ１，ＤＢ２による処理を実行するプログラムをメモリに記憶保持し、そのプログラムを実行することにより、上記制御処理を実行するための演算装置（シーケンサ）として機能する。
【００６６】
次に、図５〜図８を参照して、以上のように構成された生体情報管理システムの処理内容について説明する。
【００６７】
まず、図８を参照して鍵ペアの生成処理について説明する。
【００６８】
図８において、予め、唾液癌マーカー検査キットに付された固有識別ＩＤとしての機能を有するＱＲコード（登録商標）やシリアルナンバーを読み取ることにより、利用者端末１００から管理システム本体２００へのアクセスにより利用者端末１００が管理システム２００との間でＷｅｂアプリの利用が可能となると、トップ画面への利用者のアクセスにより（ＳＴＥＰ１１１／図８）、暗号鍵と復号鍵の鍵ペアの生成がされる（ＳＴＥＰ１１２／図８）。
【００６９】
ここで、暗号鍵と復号鍵の鍵ペアは、それぞれ唾液癌マーカー検査キットに付された固有識別ＩＤに紐付けされる。
【００７０】
そして、鍵ペアができたか否かが判断され（ＳＴＥＰ１１３／図８）、鍵ペアの生成ができない場合には（ＳＴＥＰ１１３／図８でＮＯ）、エラー出力がされる。
【００７１】
一方、鍵ペアが生成できている場合には（ＳＴＥＰ１１３／図８でＹＥＳ）、暗号鍵が管理システム本体２００に送信されて管理システム本体２００に保存されると共に（ＳＴＥＰ２１１／図８）、復号鍵が利用者端末１００に保存される（ＳＴＥＰ１１５）。
【００７２】
次に、図６を参照して、唾液ＩＤのメタデータの登録処理について説明する。
【００７３】
まず、利用者が唾液癌マーカー検査キットにより唾液の採取を行い、例えば、採取管に付された唾液ＩＤのＱＲコード（登録商標）を利用者端末１００を介して読み取りを行うと（ＳＴＥＰ１２１／図６）、ＱＲコード（登録商標）が正しく読み取れたか判定される（ＳＴＥＰ１２２／図６）。
【００７４】
そして、ＱＲコード（登録商標）が正しく読み取れていない場合には（ＳＴＥＰ１２２でＮＯ／図６）、エラー出力がなされる（ＳＴＥＰ１２３／図６）。
【００７５】
一方、ＱＲコード（登録商標）が正しく読み取れている場合には（ＳＴＥＰ１２２でＹＥＳ／図６）、問診事項の入力画面が表示されて（ＳＴＥＰ１２４／図６）、回答された問診事項が管理システム本体２００に送信されて、対象唾液ＩＤのメタデータの登録がなされる（ＳＴＥＰ２２１／図６）。
【００７６】
なお、ここで採取管に付された唾液ＩＤのＱＲコード（登録商標）は、唾液癌マーカー検査キットに付された固有識別ＩＤとしての機能を有するＱＲコード（登録商標）やシリアルナンバーと基本的に同一であるが、例えば、１つの唾液癌マーカー検査キットに対して複数の採取管があるような場合には、別のものであってもよい。
【００７７】
なお、固有識別ＩＤと唾液ＩＤが同一の場合には、前述の暗号鍵および復号鍵との紐付けがそのまま維持される。一方、固有識別ＩＤに対して複数の唾液ＩＤがある場合には、予め固有識別ＩＤと複数の唾液ＩＤが紐付けされ、前述の暗号鍵および復号鍵との紐付けが、固有識別ＩＤを介して唾液ＩＤにも紐付けされる。なお、この場合、固有識別ＩＤは、利用者端末１００の識別ＩＤに適宜置き換えられることが好ましい。利用者が唾液癌マーカー検査キットを複数回購入した場合、それぞれに同梱される採取管の唾液ＩＤと利用者とを紐づける必要があるからである。
【００７８】
次に、図７を参照して、唾液ＩＤのサイトカインデータの登録および癌リスク評価結果の作成処理について説明する。
【００７９】
予め、利用者が唾液癌マーカー検査キットにより唾液の採取った採取管を、検査機関に郵送すると、検査機関により当該唾液のサイトカインの分析がなされる。
【００８０】
ここで、サイトカインの分析結果は、管理システム本体２００に提供され、唾液ＩＤで特定されるサイトカインの分析結果を管理システム本体２００が取得する（ＳＴＥＰ２３１／図７）。
【００８１】
そして、管理システム本体２００は、取得した対象唾液ＩＤのサイトカインデータを固有識別ＩＤに基づいて暗号鍵を特定し、かかる暗号鍵でサイトカインデータを暗号化した上で、分散型台帳システム３００に登録し、分散型台帳システム３００に記憶保存させる（ＳＴＥＰ３３１／図７）。
【００８２】
さらに、管理システム本体２００は、取得した対象唾液ＩＤのサイトカインデータ（および既に取得済みのサイトカインデータがある場合にはそれを含む時系列データ）に基づいて、癌リスク評価結果の作成を行い、作成された癌リスク評価結果を暗号鍵で暗号化した上で当該管理システム本体２００に記憶保存する（ＳＴＥＰ２３２／図７）。
【００８３】
なお、かかる癌リスク評価結果の作成が、本実施形態の生体情報評価システム１の疾病リスク算出部１４により実行される。
【００８４】
次に、図８を参照して、癌リスク評価結果の利用者への提供処理について説明する。
【００８５】
まず、利用者が利用者端末１００を操作して、評価結果表示画面へアクセスすると（ＳＴＥＰ１４１／図８）、管理システム本体２００が対象唾液ＩＤのサイトカインデータを、唾液ＩＤ（固有識別ＩＤ）に基づいて、分散型台帳システム３００から取得する（ＳＴＥＰ２４１／図８）。
【００８６】
次いで、管理システム本体２００は、対象唾液ＩＤの癌リスク評価結果を、唾液ＩＤ（固有識別ＩＤ）に基づいて、管理システム本体２００内から取得する（ＳＴＥＰ２４２／図８）。
【００８７】
ここで、ＳＴＥＰ２４１およびＳＴＥＰ２４２で取得した対象唾液ＩＤのサイトカインデータおよび癌リスク評価結果は、暗号鍵より暗号化された状態となっている。
【００８８】
そこで、当該暗号鍵と鍵ペアを成す復号鍵を利用者端末１００からの送信により（ＳＴＥＰ１４２／図８）、取得できたか判定する（ＳＴＥＰ２４３／図８）。
【００８９】
そして、復号鍵を取得できない場合には（ＳＴＥＰ２４３でＮＯ／図８）、利用者端末１００に対してエラー出力を行い（ＳＴＥＰ１４３／図８）、復号鍵を取得できた場合には（ＳＴＥＰ２４３でＹＥＳ／図８）、復号鍵によりサイトカインデータおよび癌リスク評価結果を復号した上で、利用者端末１００に送信して表示させる（ＳＴＥＰ１４４／図８）。
【００９０】
以上が本実施形態の生体情報管理システムの構成および処理内容であり、かかる生体情報管理システムによれば、生体情報であるサイトカインデータの記憶保存に際して、予め利用者端末１００から管理システム本体２００へのアクセスにより、暗号鍵と復号鍵とが生成され、暗号鍵が管理システム本体２００に記憶されると共に、復号鍵が該利用者端末１００に記憶される。
【００９１】
そのため、復号鍵は利用者端末１００に存在しているに過ぎず、復号鍵により被験者である利用者が直接特定されることがない。
【００９２】
また、利用者の生体情報であるサイトカインデータは、管理システム本体２００の暗号鍵に基づいて暗号化され、暗号化されたサイトカインデータが分散型台帳システム３００に記憶保持させる。さらに、分散型台帳システム３００から読み出した暗号化されたサイトカインデータは、利用者端末１００から取得した復号鍵により復号されることから、生体情報へのアクセスが暗号鍵と復号鍵により制限される。
【００９３】
さらに、暗号鍵と復号鍵とが測定キットである唾液癌マーカー検査キットの固有識別ＩＤ（唾液ＩＤ）と紐付けされることにより、測定結果であるサイトカインデータを固有識別ＩＤに基づいて暗号鍵による暗号化をすることができると共に、固有識別ＩＤと紐付いた復号鍵を有する利用者端末のみに生体情報へのアクセスを可能とすることができる。
【００９４】
このように、本実施形態の生体情報管理システムによれば、利用者が特定されることを防止しつつ、生体情報へのアクセスを制限することができる。
【００９５】
なお、本実施形態では、生体情報管理システムとして、生体情報の測定キットである唾液癌マーカー検査キットを用いる場合について説明したが、これに限定されるものではなく、その他の検査キット（大腸癌検査キット）や、検査キット以外の生体情報計測機器（血圧計や活動量計等）であってもよい。
【００９６】
この場合、生体情報（検査で指標とされるデータ値や計測値）や（必要に応じて）これらに基づく評価結果が、暗号鍵により暗号化された上で管理システム本体２００から分散型台帳システム３００で記憶保存されると共に、分散型台帳システム３００から読みだされた生体情報や評価結果は、利用者端末１００の復号鍵により復号されて管理システム本体２００から利用者端末１００に提供される。
【符号の説明】
【００９７】
１…生体情報価格評価システム、１１…生体情報記憶部、１２…パーソナルデータ記憶部、１３…疾病リスク評価モデル作成部、１４…疾病リスク算出部、１００…利用者端末、２００…管理システム本体、３００…分散型台帳システム。
【図１】
2018198016.tif 000003
【図２】
2018198016.tif 000004
【図３】
2018198016.tif 000005
【図４】
2018198016.tif 000006
【図５】
2018198016.tif 000007
【図６】
2018198016.tif 000008
【図７】
2018198016.tif 000009
【図８】
2018198016.tif 000010